(57)【特許請求の範囲】
【請求項１】
釣り糸を前方に繰り出し可能なスピニングリールであって、
リール本体と、
前記リール本体に前後移動自在に設けられる糸巻き用のスプールと、
前記スプールに前記釣り糸を巻き付けるために、前記リール本体に少なくとも糸巻取方向に回転可能に設けられるロータと、
前記スプールに前記釣り糸を巻き付け可能な糸巻き取り姿勢と、前記スプールから前記釣り糸を繰り出し可能な糸開放姿勢と、に前記ロータに揺動可能に設けられるベールアームと、
前記ロータの糸巻き取り方向の回転に連動して、前記ベールアームを前記糸開放姿勢から前記糸巻き取り姿勢に戻すベール反転機構と、を備え、
前記ベール反転機構は、
前記ベールアームに連動して前記糸巻き取り姿勢に対応する第１位置と前記糸開放姿勢に対応する第２位置とに前後方向に移動自在に前記ロータに設けられ、前記第２位置にあるとき、前記第１位置よりも後方に位置する移動部材と、
前記ベールアームを、死点を挟んで前記糸巻き取り姿勢と前記糸開放姿勢とに振り分けて付勢するトグルバネ部材と、
前記リール本体に固定され、前記ロータが糸巻き取り方向に回転したとき、前記第２位置にある前記移動部材に接触して前記移動部材を前記第１位置に向けて移動させる切換部材と、を有し、
前記切換部材は、第１端部と、前記第１端部よりも前記ロータの糸巻き取り方向下流側に配置される第２端部と、前記第２位置にある前記移動部材に接触して前記移動部材が前記死点を超える位置まで移動するように前記ロータの糸巻き取り方向に沿って第１傾斜角で前方に傾斜する第１傾斜面と、前記第１傾斜面に連続して前記第２端部に向けて前記第１傾斜角よりも大きい第２傾斜角で前方に傾斜し、前記死点を越えた前記移動部材が前記第２位置から前記第１位置に移動しない場合に前記移動部材を前記第１位置に向けて強制的に移動させる第２傾斜面と、を有するスピニングリール。
【請求項２】
前記第２傾斜角は、前記第１傾斜角よりも徐々に大きくなる、請求項１に記載のスピニングリール。
【請求項３】
前記切換部材は、前記第２傾斜面から前記第２端部に向かって、延びる非傾斜面をさらに有する、請求項１又は２に記載のスピニングリール。
【請求項４】
前記切換部材は、前記非傾斜面の前記第２端部側に、前記非傾斜面に対して垂直に配置される垂直面をさらに有する、請求項３に記載のスピニングリール。
【請求項５】
前記切換部材は、前記非傾斜面から前記第２端部に向かって、前記ロータの糸巻き取り方向に沿って後方に傾斜する第３傾斜面をさらに有する、請求項３に記載のスピニングリール。
【請求項６】
前記リール本体は、機構収納空間及び前記機構収納空間の前方に設けられる第１フランジ部を有する筐体部、並びに前記第１フランジ部とで円形のフランジ部を構成する第２フランジ部を有し、前記機構収納空間を覆うように前記筐体部に固定される蓋部材、を備え、
前記切換部材は、前記第１フランジ部と前記第２フランジ部との間に挟まれて、前記フランジ部に固定される固定部を有する、請求項１から５のいずれか１項に記載のスピニングリール。
【発明の詳細な説明】
【技術分野】
【０００１】
本発明は、スピニングリール、特に、ベール反転機構を有するスピニングリールに関する。
【背景技術】
【０００２】
スピニングリールは、釣り糸を前方に繰り出すリールである。スピニングリールには、ベールアームと、ベールアームを糸開放姿勢から糸巻き取り姿勢に戻すベール反転機構が設けられる（例えば、特許文献１参照）。従来のベール反転機構は、移動部材と、トグルバネ部材と、切換部材と、を備える。移動部材は、ロータに、第１位置と第２位置とに前後方向に移動自在に設けられる。第１位置は糸巻き取り姿勢に対応する位置である。第２位置は糸開放姿勢に対応する位置である。トグルバネ部材は、死点を挟んで移動部材を第１位置と第２位置とに振り分けて付勢する。切換部材は、ロータが糸巻き取り方向に回転したとき、第２位置にある移動部材に接触して、移動部材を第１位置に向けてトグルバネ部材の死点を超えて移動させる。切換部材は、リール本体の円形のフランジ部に固定される。切換部材は、傾斜面と非傾斜面とを有する。傾斜面は、ロータの糸巻き取り方向に沿って徐々に前方に突出する。切換部材は、トグルバネ部材の死点を超えて第１位置と死点との中間部付近まで突出する。これは、トグルバネ部材の死点を超えても移動部材又はトグルバネ部材が摩擦などの要因によって正常に移動しないとき、移動部材を第１位置に向けて強制的に移動させるためである。
【０００３】
このような構成の従来のベール反転機構では、釣り糸を繰り出す前にベールアームを糸開放姿勢に揺動させる。これによって、移動部材が第１位置から第２位置に移動する。釣り糸の繰り出しが終わると、ハンドルによってロータを糸繰り出し方向に回転させる。ロータが糸巻取方向に回転すると、第２位置にある移動部材は傾斜面によって、死点を超えるまで第１位置に向けて押圧され、死点を超えるとトグルバネ部材の付勢力によって第１位置に戻り、ベールアームが糸巻取姿勢に戻る。
【先行技術文献】
【特許文献】
【０００４】
【特許文献１】特許第４２２１２４０号公報
【発明の概要】
【発明が解決しようとする課題】
【０００５】
従来のスピニングリールでは、ベールアームを糸開放姿勢から糸巻取姿勢に戻すとき、移動部材が切換部材の斜面に乗り上げて死点を超えるまでトグルバネ部材が圧縮し、トグルバネ部材の付勢力が急激に大きくなる。従来のスピニングリールでは、ベール反転時に急激に大きくなる付勢力に抗してハンドルを回さなければならない。このため、移動部材が切換部材の斜面に乗り上げるとハンドルを回しにくくなり、糸開放姿勢から糸巻き取り姿勢にベールアームをスムーズに戻しにくい。そこで、切換部材の斜面の傾斜を小さくすることが考えられる。しかし、傾斜を小さくすると切換部材の周方向の全長が増加する。
【０００６】
本発明の課題は、スピニングリールにおいて、切換部材の全長の増加を抑えて、糸開放姿勢から糸巻き取り姿勢にベールアームをスムーズに戻せるようにすることにある。
【課題を解決するための手段】
【０００７】
本発明に係るスピニングリールは、釣り糸を前方に繰り出し可能なスピニングリールである。スピニングリールは、リール本体と、糸巻き用のスプールと、ロータと、ベールアームと、ベール反転機構と、を備える。スプールは、リール本体に前後移動自在に設けられる。ロータは、スプールに釣り糸を巻き付けるために、リール本体に少なくとも糸巻取方向に回転可能に設けられる。ベールアームは、スプールに釣り糸を巻き付け可能な糸巻き取り姿勢と、スプールから釣り糸を繰り出し可能な糸開放姿勢と、にロータに揺動可能に設けられる。ベール反転機構は、ロータの糸巻き取り方向の回転に連動して、ベールアームを糸開放姿勢から糸巻き取り姿勢に戻す。ベール反転機構は、移動部材と、トグルバネ部材と、切換部材と、を有する。移動部材は、ベールアームに連動して糸巻き取り姿勢に対応する第１位置と糸開放姿勢に対応する第２位置とに前後方向に移動自在にロータに設けられる。移動部材は、第２位置にあるとき、第１位置よりも後方に位置する。トグルバネ部材は、ベールアームを、死点を挟んで糸巻き取り姿勢と糸開放姿勢とに振り分けて付勢する。切換部材は、リール本体に固定され、ロータが糸巻き取り方向に回転したとき、第２位置にある移動部材に接触して移動部材を第１位置に向けて移動させる。切換部材は、第１端部と、第２端部と、第１傾斜面と、第２傾斜面と、を有する。第２端部は、第１端部よりもロータの糸巻き取り方向下流側に配置される。第１傾斜面は、第２位置にある移動部材に接触して移動部材が死点を超える位置まで移動するようにロータの糸巻き取り方向に沿って第１傾斜角で前方に傾斜する。第２傾斜面は、第１傾斜面に連続して第２端部に向けて第１傾斜角よりも大きい第２傾斜角で前方に傾斜する。
【０００８】
このスピニングリールでは、ベール反転機構において、切換部材は、第１傾斜角で前方に傾斜する第１傾斜面と、第１傾斜角よりも大きい第２傾斜で前方に傾斜する第２傾斜面と、を有する。第１傾斜面は、第１端部から移動部材が死点を超える位置まで設けられる。第２傾斜面は、第１傾斜面に連続して死点を超えた位置から第２端部に向けて設けられる。ここでは、第２傾斜面の第２傾斜角よりも小さい第１傾斜角で傾斜する第１傾斜面によってトグルバネ部材が死点まで圧縮し、死点を超えると伸張する。また、死点を超えると、トグルバネ部材がベールアームを糸巻き取り姿勢に向けて付勢し、移動部材が第１位置に戻る。なお、移動部材又はトグルバネ部材が摩擦などの要因によって、死点を超えてから正常に作動しなくても、第２傾斜面が移動部材を第１位置に向けて移動させることができる。このため、死点に至るまでのトグルバネ部材の付勢力の増加割合が小さくなり、糸開放姿勢から糸巻き取り姿勢にベールアームをスムーズに戻せるようになる。しかも第２傾斜面の第２傾斜角が第１傾斜角よりも大きいので、切換部材の全長の増加を抑えることができる。
【０００９】
第２傾斜角は、第１傾斜角よりも徐々に大きくなってもよい。これによって、移動部材の動きがさらにスムーズになる。
【００１０】
切換部材は、第２傾斜面から第２端部に向かって延びる非傾斜面をさらに有してもよい。この場合には非傾斜面によって、移動部材を第１位置に保持できる。
【００１１】
切換部材は、非傾斜面の第２端部側に、非傾斜面に対して垂直に配置される垂直面をさらに有してもよい。この場合には、ワンウェイクラッチによってロータの糸繰り出し方向の逆転が常時禁止されるスピニングリールにおいて、切換部材の構成を簡素化できる。
【００１２】
切換部材は、非傾斜面から第２端部に向かって、ロータの糸巻き取り方向に沿って後方に傾斜する第３傾斜面をさらに有してもよい。この場合には、ワンウェイクラッチを、逆転禁止状態と逆転許可状態とに切り換えできるスピニングリールにおいて、ベールアームが糸開放姿勢にある状態で、ロータがいずれの方向に回転しても、ベールアームを糸巻き取り姿勢に戻すことができる。
【００１３】
リール本体は、機構収納空間及び機構収納空間の前方に設けられる第１フランジ部を有する筐体部、並びに第１フランジ部とで円形のフランジ部を構成する第２フランジ部を有し、機構収納空間を覆うように筐体部に固定される蓋部材、を備えてもよい。切換部材は、第１フランジ部と第２フランジ部との間に挟まれて、フランジ部に固定される固定部を有してもよい。この場合には、蓋部材を筐体部に固定するだけで、固定部材を設けることなく、切換部材をフランジ部に固定できる。
【発明の効果】
【００１４】
本発明によれば、切換部材の全長の増加を抑えて、糸開放姿勢から糸巻き取り姿勢にベールアームをスムーズに戻せるようになる。
【図面の簡単な説明】
【００１５】
【図１】本発明の一実施形態によるスピニングリールの側面図。
【図２】スピニングリールの側面断面図。
【図３】スピニングリールのリール本体の分解斜視図。
【図４】糸巻き取り姿勢のベールアームを含む第１ロータアームの側面図。
【図５】第１ロータアームの断面部分図。
【図６】リール本体の正面部分図。
【図７】リール本体の底面部分図。
【図８】湾曲した切換部材の斜面を直線に展開した側面模式図。
【図９】糸開放姿勢のベールアームを含む第１ロータアームの側面図。
【図１０】トグルバネ部材が死点にあるときの第１ロータアームの側面図。
【図１１】他の実施形態の図８に相当する図。
【図１２】さらに他の実施形態の図８に相当する図。
【発明を実施するための形態】
【００１６】
＜スピニングリールの概略構成＞
本発明の一実施形態を採用したスピニングリール１０は、釣り糸を前方に繰り出し可能なリールである。なお、以下の説明において、「前」とは釣り糸を繰り出す方向を示し、具体的には図１及び図２の左が「前」である。
【００１７】
スピニングリール１０は、図１及び図２に示すように、リール本体１２と、スプール１４と、ロータ１６と、ベールアーム１８と、ベール反転機構２０（図２参照）と、を備える。スプール１４は、リール本体１２に前後移動自在に設けられる糸巻き用のものである。ロータ１６は、スプール１４に釣り糸を巻き付けるために設けられる。ロータ１６は前後方向に沿って配置される軸Ｘ回りに回転する。ロータ１６は、リール本体１２に少なくとも糸巻取方向に回転可能に設けられる。ベールアーム１８は、スプール１４に釣り糸を巻き付け可能な糸巻き取り姿勢と、スプール１４から釣り糸を繰り出し可能な糸開放姿勢と、にロータ１６に揺動可能に設けられる。ベール反転機構２０は、ロータ１６の糸巻き取り方向の回転に連動して、ベールアーム１８を糸開放姿勢から糸巻き取り姿勢に戻す。
【００１８】
＜リール本体＞
リール本体１２は、図３に示すように、筐体部１２ａと、蓋部材１２ｂと、竿取付脚部１２ｃと、を有する。筐体部１２ａは、機構収納空間１２ｄ及び機構収納空間１２ｄの前方に設けられる第１フランジ部２２ａを有する。第１フランジ部２２ａは、本実施形態では半円形に形成される。第１フランジ部２２ａの前部には、第１フランジ部２２ａよりも小径の筒状部１２ｅが前方に突出して形成される。筒状部１２ｅは、第１フランジ部２２ａと同芯に配置される。フランジ部２２は、ロータ１６の回転平面と平行に配置される。
【００１９】
蓋部材１２ｂは、第１フランジ部２２ａとで円形のフランジ部２２（後述）を構成する半円形の第２フランジ部２２ｂを有する。蓋部材１２ｂは、機構収納空間１２ｄを覆うように筐体部１２ａに固定される。蓋部材１２ｂは、筐体部１２ａに複数本（たとえば、３本）の固定ボルト２４によって着脱可能に固定される。竿取付脚部１２ｃは、筐体部１２ａ及び蓋部材１２ｂのいずれかに設けられる概ねＴ字状の部材であり、釣り竿を装着可能である。本実施形態では、竿取付脚部１２ｃは、蓋部材１２ｂに一体的に設けられるが、竿取付脚部１２ｃは、筐体部１２ａに一体的に設けられてもよい。リール本体１２には、図１及び図２に示すように、ハンドル２６が回転自在に装着される。ハンドル２６は、筐体部１２ａ及び蓋部材１２ｂのいずれかに装着される。図１には、ハンドル２６が蓋部材１２ｂに装着される例（左ハンドル）を示す。図２には、ハンドル２６が筐体部１２ａに装着される例（右ハンドル）を示す。
【００２０】
＜ロータ＞
ロータ１６は、図２に示すように、ピニオンギア２８ｃに一体回転可能に連結される筒状の連結部１６ａと、連結部１６ａと一体形成された第１ロータアーム１６ｂ及び第２ロータアーム１６ｃと、を有する。また、ロータ１６は、第１ロータアーム１６ｂの径方向の外側面を覆う第１カバー部材と１６ｄと、第２ロータアーム１６ｃの径方向の外側面を覆う第２カバー部材と１６ｅとを有する。第１ロータアーム１６ｂは、連結部１６ａの後端部から連結部１６ａと間隔をあけて前方に延びる。第２ロータアーム１６ｃは、連結部１６ａの第１ロータアーム１６ｂと対向する後端部から連結部１６ａと間隔をあけて前方に延びる。ロータ１６は、リール本体１２とロータ１６との間に配置される逆転防止機構３４によって、糸繰り出し方向の回転（逆転）が禁止される。なお、本実施形態では、逆転防止機構３４は、糸繰り出し方向の回転を禁止する逆転禁止状態と、逆転を許可する逆転許可状態とに切り換え可能である。
【００２１】
＜ベールアーム＞
ベールアーム１８は、図２及び図４に示すように、第１ロータアーム１６ｂ及び第２ロータアーム１６ｃの前方に延びた先端部に、糸巻き取り姿勢（図４参照）と糸開放姿勢（図９参照）との間で揺動可能に装着される。ベールアーム１８は、第１ベール支持部材４２と、第２ベール支持部材４４と、第１ベール支持部材４２と第２ベール支持部材４４とを連結するベール４６と、を有する。第１ベール支持部材４２は、第１ロータアーム１６ｂの先端外周側に揺動自在に装着される。第２ベール支持部材４４は、第２ロータアーム１６ｃの先端外周側に揺動自在に装着される。第１ベール支持部材４２は、第１ロータアーム１６ｂの先端にねじ込まれた第１取付ピン５４ａによって第１ロータアーム１６ｂに揺動自在に取り付けられる。第２ベール支持部材４４は、第２ロータアーム１６ｃの先端にねじ込まれた第２取付ピン５４ｂによって、第２ロータアーム１６ｃに揺動自在に取り付けられる。
【００２２】
＜ベール反転機構＞
ベール反転機構２０は、図２に示すように、第１ロータアーム１６ｂの内部に配置される。ベール反転機構２０は、ベールアーム１８を糸開放姿勢から糸巻取姿勢にロータ１６の回転に連動して復帰させるとともに、両姿勢でその状態を保持するために設けられている。
【００２３】
ベール反転機構２０は、図４及び図５に示すように、移動部材６０と、トグルバネ部材６２と、切換部材６４と、を有する。移動部材６０は、たとえば、ステンレス合金などの金属製の線材の両端を９０度異なる方向に折り曲げて形成された部材である。移動部材６０は、図４に示す第１位置と、第１位置よりも後退した図９に示す第２位置とに、第１ロータアーム１６ｂに略前後移動自在に装着される。移動部材６０は、図５に示すように、先端部６０ａが径方向外側に折り曲げられ、第１ベール支持部材４２の第１ロータアーム１６ｂと対向面に形成された略扇形の係合凹溝４２ａ（図４参照）に係止される。中間部６０ｂは、トグルバネ部材６２よりも径方向内側で前後方向に延び、第１ロータアーム１６ｂに設けられる案内部１６ｆに前後方向に案内される。移動部材６０の中間部６０ｂは、ベールアーム１８の揺動に連動して前後に案内される。中間部６０ｂおよび後端部６０ｃの両側は、第１ロータアーム１６ｂ内に装着された案内部１６ｆによって前後方向及び径方向に案内されている。後端部６０ｃは、径方向内側に折り曲げられ、第２位置にあるとき切換部材６４に接触可能である。後端部６０ｃは、ロータ１６の回転中心に向けて折り曲げられる。
【００２４】
トグルバネ部材６２は、ベールアーム１８を、死点を挟んで糸巻取姿勢と糸開放姿勢とに振り分けて付勢し、かつ、ベールアーム１８を糸巻取姿勢と糸開放姿勢とに保持するための部材である。トグルバネ部材６２は、一端が第１ベール支持部材４２に係止され、他端が第１ロータアーム１６ｂに沿って延びるロッド６８と、ロッド６８を進出側に付勢するコイルバネ７０とを有する。ロッド６８は、先端に第１ベール支持部材４２の係合穴４２ｂに係止されるように第１ベール支持部材４２に向けて折れ曲がった係止部６８ａを有する。また、ロッド６８は、中間部にコイルバネ７０の先端部を係止するための係止突起６８ｂを有する。係止突起６８ｂには、コイルバネ７０の先端が当接するワッシャ７２が装着されており、これにより、コイルバネ７０の先端部からロッド６８に力が均一に伝達される。コイルバネ７０は、第１ロータアーム１６ｂの外側面に設けられた規制壁１６ｇによって、第１ロータアーム１６ｂの糸巻き取り方向ＬＷへの移動が規制される。トグルバネ部材６２は、図１０に示す死点でコイルバネ７０がもっとも収縮する。
【００２５】
切換部材６４は図３、及び図５から図８に示すように、リール本体１２に固定される。切換部材６４は、摺動性能及び遮音性に優れた、例えばポリアセタールなどの合成樹脂製の部材であり、各部が金型によって一体で形成される。切換部材６４は、ロータ１６が糸巻き取り方向に回転したとき、第２位置にある移動部材６０に接触して死点を超えて移動部材６０を第１位置に向けて移動させるために設けられる。切換部材６４は、第１端部６４ａと、第２端部６４ｂと、第１傾斜面６４ｃと、第２傾斜面６４ｄと、非傾斜面６４ｅと、第３傾斜面６４ｆと、固定部６４ｇと、を有する。
【００２６】
第２端部６４ｂは、第１端部６４ａよりもロータ１６の糸巻き取り方向下流側に配置される。第１傾斜面６４ｃは、ロータ１６の回転平面に対して傾斜して配置される。第１傾斜面６４ｃは、第２位置ＢＯにある移動部材６０に接触し、移動部材６０がトグルバネ部材６２の死点ＢＤを超える位置まで移動させように糸巻き取り方向に沿って第１傾斜角α１で前方に傾斜する。移動部材６０が死点ＢＤを超えると、ベールアーム１８は、通常はトグルバネ部材６２の付勢力によって糸巻き取り姿勢に戻り、移動部材６０が第１位置ＢＣに戻る。これによって、釣り糸がベールアーム１８を介してスプール１４に巻き付けられる。
【００２７】
第２傾斜面６４ｄは、第１傾斜面６４ｃに連続して第２端部６４ｂに向けて形成される。第２傾斜面６４ｄは、第１傾斜角α１よりも大きい第２傾斜角α２で糸巻き取り方向に沿って前方に傾斜する。非傾斜面６４ｅは、ロータ１６の回転平面と平行に配置され、第２傾斜面６４ｄから第２端部６４ｂに向かってフランジ部２２と実質的に平行に延びる。第３傾斜面６４ｆは、非傾斜面６４ｅから第２端部６４ｂに向かって、ロータ１６の糸巻き取り方向に沿って後方に傾斜する。第３傾斜面６４ｆは、ベールアーム１８が糸開放姿勢であり、かつ逆転防止機構３４が逆転許可状態の場合に、ロータ１６が逆転したとき、移動部材６０が切換部材６４に接触しても、移動部材６０が変形しないようにするために設けられる。固定部６４ｇは、第１フランジ部２２ａに設けられる第１凹部２２ｃ（図６参照）と、第２フランジ部２２ｂに設けられる第２凹部２２ｄ（図３及び図６参照）に係合し、第１凹部２２ｃ及び第２凹部２２ｄに抜け止めされた状態で挟持される。したがって、切換部材６４を固定するための部材が不要である。
【００２８】
ここでは、ベール反転機構２０の移動部材６０を第２位置から第１位置に戻すための切換部材６４の第１傾斜面６４ｃの第１傾斜角α１を小さくするとともに、第１傾斜角α１よりも大きい第２傾斜角α２の第２傾斜面６４ｄを設けている。これによって、移動部材６０又はトグルバネ部材６２が摩擦などの要因によって、死点を超えてから正常に作動しなくても、第２傾斜面６４ｄが死点を超えた位置で移動部材６０を第１位置に向けて移動させることができる。このため、死点に至るまでのトグルバネ部材６２の付勢力の増加割合が小さくなり、糸開放姿勢から糸巻き取り姿勢にベールアーム１８をスムーズに戻せるようになる。しかも第２傾斜面６４ｄの第２傾斜角α２が大きいので、切換部材６４の全長の増加を抑えることができる。
【００２９】
また、第２位置でハンドル２６の操作によりロータ１６が糸巻取方向に回転すると、移動部材６０の後端部６０ｃが切換部材６４の第１傾斜面６４ｃに接触する。これによって、移動部材６０が第１位置に向けて前方に押圧され、図１０に示すトグルバネ部材６２の死点を超えた時点でベールアーム１８は、糸巻き取り姿勢に復帰する。
【００３０】
＜リールの操作及び動作＞
キャスティング時には逆転防止機構３４によりロータ１６を逆転禁止状態にして手でベールアーム１８を持ってベールアーム１８を、図４に示す糸巻き取り姿勢から図９に示す糸開放姿勢に反転させる。ベールアーム１８を糸開放姿勢に反転させると、第１ベール支持部材４２及び第２ベール支持部材４４は後方側に倒れ、移動部材６０は、第２位置に配置される。ベールアーム１８が糸開放姿勢に倒れた状態では、スプール１４からの釣り糸を容易に繰り出すことが可能である。
【００３１】
この糸巻き取り姿勢から糸開放姿勢へのベールアーム１８の揺動において、トグルバネ部材６２は、第１ベール支持部材４２の回転によってロッド６８が徐々に退入しつつ反時計方向に揺動する。このとき、図１０に示す死点を超えるまではロッド６８は退入する。死点を超えて糸開放姿勢に揺動すると、ロッド６８がコイルバネ７０の付勢力により進出してベールアーム１８を糸開放姿勢側に切り換えるとともにその姿勢で保持する。
【００３２】
ベールアーム１８が糸開放姿勢に揺動すると、この揺動に伴って移動部材６０の後端部６０ｃは制動部材７４の係合部７４ｂに係合する。
【００３３】
キャスティング後に、ベールアーム１８を糸開放姿勢に維持したままの状態でハンドル２６を糸巻き取り方向に回転させると、ロータ駆動機構２８によりロータ１６が糸巻き取り方向（図４及び図６の矢印方向）ＬＷに回転する。ロータ１６が糸巻き取り方向ＬＷに回転すると、ベールアーム１８がベール反転機構２０によって糸巻き取り姿勢に復帰する。このとき、前述したように、フランジ部２２の前面に装着された切換部材６４の第１傾斜面６４ｃの第１傾斜角α１を小さくしたので、トグルバネ部材６２のバネ力の増加度合いが小さくなり、小さい力でベールアーム１８を戻すことができる。これによって、糸開放姿勢から糸巻き取り姿勢にベールアーム１８をスムーズに戻せるようになる。
【００３４】
また、切換部材６４に第２傾斜面６４ｄを設けたので、移動部材６０又はトグルバネ部材６２が摩擦などの要因によって、死点を超えてから正常に作動しなくても、第２傾斜面６４ｄが移動部材６０を第１位置に向けて強制的に移動させることができる。このため、このような現象が生じてもベールアーム１８を確実に糸巻き取り姿勢に戻すことができる。しかも、第２傾斜面６４ｄの第２傾斜角α２が大きいので、切換部材６４の第１端部６４ａから第２端部６４ｂまでの全長の増加を抑えることができる。
＜他の実施形態＞
【００３５】
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００３６】
（ａ）上記実施形態では、ロータ１６が糸巻き取り方向と糸繰り出し方向との回転可能であったがロータ１６は、糸巻取方向のみ回転可能であってもよい。この場合、逆転防止機構３４は、ロータ１６の糸繰り出し方向の回転を常時禁止する。図１１に示すように、切換部材１６４は、第１端部１６４ａと、第２端部１６４ｂと、第１傾斜面１６４ｃと、第２傾斜面１６４ｄと、非傾斜面１６４ｅと、を有する。切換部材１６４の第２端部１６４ｂは、第３傾斜面６４ｆに代えて非傾斜面１６４ｅに対して垂直に配置される垂直面１６４ｆを有する。これは、ロータ１６が糸繰り出し方向に逆転できないため、移動部材６０が第２端部１６４ｂ側から切換部材１６４に接触しないからである。また、第１傾斜面１６４ｃは、第１傾斜角α４で前方に傾斜する。第２傾斜面１６４ｄは、第２傾斜角α５で前方に傾斜する。第１傾斜角α４は、切換部材１６４の全長が上記実施形態の切換部材６４と同じ場合、第３傾斜面６４ｆがない分だけ、第１傾斜角α１よりも小さくなる。このため、糸開放姿勢から糸巻き取り姿勢にベールアーム１８をさらにスムーズに戻せるようになる。
【００３７】
（ｂ）図１２に示すように、第２傾斜面２６４ｄの第２傾斜角α６は、第１傾斜角α４よりも徐々に大きくなってもよい。図１２では、第２傾斜角α６は、例えば、第１傾斜角α４から第２端部１６４ｂに向けて徐々に大きくなる。したがって、第２傾斜面２６４ｄは、滑らかに傾斜角が変化する曲線（例えば円弧）で形成される。これによって、移動部材６０の動きがさらにスムーズになる。
【００３８】
（ｃ）上記実施形態では、フロントドラグのスピニングリール１０を例に本発明を説明したが本発明はこれに限定されない。例えば、リアドラグ型のスピニングリール、及びレバー部材によってロータを制動可能なレバーブレーキ型のスピニングリール等の、ベール反転機構を有する全てのスピニングリールに本発明を適用できる。
＜特徴＞
上記実施形態は、下記のように表現可能である。
【００３９】
（Ａ）スピニングリール１０は、釣り糸を前方に繰り出し可能なリールである。スピニングリール１０は、リール本体１２と、糸巻き用のスプール１４と、ロータ１６と、ベールアーム１８と、ベール反転機構２０と、を備える。スプール１４は、リール本体１２に前後移動自在に設けられる。ロータ１６は、スプール１４に釣り糸を巻き付けるために、リール本体１２に少なくとも糸巻取方向に回転可能に設けられる。ベールアーム１８は、スプール１４に釣り糸を巻き付け可能な糸巻き取り姿勢と、スプール１４から釣り糸を繰り出し可能な糸開放姿勢と、にロータ１６に揺動可能に設けられる。ベール反転機構２０は、ロータ１６の糸巻き取り方向の回転に連動して、ベールアーム１８を糸開放姿勢から糸巻き取り姿勢に戻す。ベール反転機構２０は、移動部材６０と、トグルバネ部材６２と、切換部材６４と、を有する。移動部材６０は、ベールアーム１８に連動して糸巻き取り姿勢に対応する第１位置ＢＣと糸開放姿勢に対応する第２位置ＢＯとに前後方向に移動自在にロータ１６に設けられる。移動部材６０は、第２位置にあるとき、第１位置よりも後方に位置する。トグルバネ部材６２は、ベールアーム１８を、死点ＢＤを挟んで糸巻き取り姿勢と糸開放姿勢とに振り分けて付勢する。切換部材６４は、リール本体１２に固定され、ロータ１６が糸巻き取り方向に回転したとき、第２位置にある移動部材６０に接触して移動部材６０を、死点ＢＤを超えて第１位置ＢＣに向けて移動させる。切換部材６４は、第１傾斜面６４ｃと第２傾斜面６４ｄとを有する。第１傾斜面６４ｃは、第２位置ＢＯにある移動部材６０に接触可能に、第１端部６４ａからベールアーム１８が死点ＢＤを超える位置に向けてロータ１６の糸巻き取り方向に沿って第１傾斜角α１で前方に傾斜する。第２傾斜面６４ｄは、第１傾斜面６４ｃに連続して第１端部６４ａと反対の第２端部６４ｂに向けて第１傾斜角α１よりも大きい第２傾斜角α２で前方に傾斜する。
【００４０】
このスピニングリール１０では、ベール反転機構２０において、切換部材６４は、第１傾斜角α１で前方に傾斜する第１傾斜面６４ｃと、第１傾斜角α１よりも大きい第２傾斜角α２で前方に傾斜する第２傾斜面６４ｄと、を有する。第１傾斜面６４ｃは、第１端部６４ａから死点ＢＤを超える位置まで設けられる。第２傾斜面６４ｄは、第１傾斜面６４ｃに連続して第２端部６４ｂに向けて設けられる。ここでは、第２傾斜角α２よりも小さい第１傾斜角α１で傾斜する第１傾斜面６４ｃによってトグルバネ部材６２が死点ＢＤを超えるまで圧縮する。また、死点ＢＤを超えると、トグルバネ部材６２がベールアーム１８を糸巻き取り姿勢に向けて付勢し、移動部材６０が第１位置ＢＣに戻る。このため、死点ＢＤに至るまでのトグルバネ部材６２の付勢力の増加割合が小さくなり、ベールアーム１８を糸巻き取り姿勢にスムーズに戻せるようになる。
【００４１】
（Ｂ）第２傾斜角α６は、第１傾斜角α４よりも徐々に大きくなってもよい。これによって、移動部材６０の動きがさらにスムーズになる。
【００４２】
（Ｃ）切換部材６４は、第２傾斜面６４ｄから第２端部６４ｂに向かって延びる非傾斜面６４ｅをさらに有してもよい。この場合には非傾斜面６４ｅによって、移動部材６０を第１位置に保持できる。
【００４３】
（Ｄ）切換部材１６４は、非傾斜面１６４ｅの第２端部１６４ｂ側に、非傾斜面１６４ｅに対して垂直に配置される垂直面１６４ｆをさらに有してもよい。この場合には、ワンウェイクラッチ３４ａによってロータ１６の糸繰り出し方向の逆転が常時禁止されるスピニングリールにおいて、切換部材１６４の構成を簡素化できる。
【００４４】
（Ｅ）切換部材６４は、非傾斜面６４ｅから第２端部６４ｂに向かって、ロータ１６の糸巻き取り方向に沿って後方に傾斜する第３傾斜面６４ｆをさらに有してもよい。この場合には、ワンウェイクラッチ３４ａを、逆転禁止状態と逆転許可状態とに切り換えできるスピニングリール１０において、ベールアーム１８が糸開放姿勢にある状態で、ロータ１６がいずれの方向に回転しても、ベールアーム１８を糸巻き取り姿勢に戻すことができる。
【００４５】
（Ｆ）リール本体１２は、筐体部１２ａ及び蓋部材１２ｂを有してもよい。筐体部１２ａは、機構収納空間１２ｄ及び機構収納空間１２ｄの前方に設けられる第１フランジ部２２ａを有する。蓋部材１２ｂは、第１フランジ部２２ａとで円形のフランジ部２２を構成する第２フランジ部２２ｂを有し、機構収納空間１２ｄを覆うように筐体部１２ａに固定される。切換部材６４は、第１フランジ部２２ａと第２フランジ部２２ｂとの間に挟まれて、フランジ部２２に固定される固定部６４ｇを有してもよい。この場合には、蓋部材１２ｂを筐体部１２ａに固定するだけで、固定部材を設けることなく、切換部材６４をフランジ部２２に固定できる。
【符号の説明】
【００４６】
１０    スピニングリール
１２    リール本体
１２ａ  筐体部
１２ｂ  蓋部材
１２ｄ  機構収納空間
１４    スプール
１６    ロータ
１８    ベールアーム
２０    ベール反転機構
２２    フランジ部
２２ａ  第１フランジ部
２２ｂ  第２フランジ部
６０    移動部材
６２    トグルバネ部材
６４    切換部材
６４ａ，１６４ａ  第１端部
６４ｂ，１６４ｂ  第２端部
６４ｃ、１６４ｃ  第１傾斜面
６４ｄ、１６４ｄ、２６４ｄ  第２傾斜面
６４ｅ、１６４ｅ  非傾斜面
６４ｆ  第３傾斜面
１６４ｆ  垂直面
α１、α４    第１傾斜角
α２、α５、α６    第２傾斜角
ＢＣ    第１位置
ＢＤ    死点
ＢＯ    第２位置
【図１】
0006457258.tif 000002
【図２】
0006457258.tif 000003
【図３】
0006457258.tif 000004
【図４】
0006457258.tif 000005
【図５】
0006457258.tif 000006
【図６】
0006457258.tif 000007
【図７】
0006457258.tif 000008
【図８】
0006457258.tif 000009
【図９】
0006457258.tif 000010
【図１０】
0006457258.tif 000011
【図１１】
0006457258.tif 000012
【図１２】
0006457258.tif 000013